(57)【要約】【課題】骨盤をしっかりと固定して骨盤のずれを矯正することができる整体用ブロックを提供する。【解決手段】施術台（１２）に設置される設置面（３）と、骨盤（１４）を押さえる施術面（４）とを備え、施術台（１２）に伏臥した患者（１１）の骨盤（１４）を施術面（４）によって固定して、骨盤（１４）のずれを矯正する整体用ブロック（１）として構成する。施術面（４）は、外方に凸の曲面になるように構成する。設置面（３）と施術面（４）には、発泡ポリウレタン製の網状シート（８）で被覆する。【選択図】  図１
2011041768.tif 000002
【特許請求の範囲】
【請求項１】
施術台に設置される設置面と、患者の骨盤を押さえる施術面とを備え、施術台に伏臥した患者の骨盤を前記施術面によって固定して、骨盤のずれを矯正する整体用ブロックであって、
前記施術面は、外方に凸の曲面から構成されており、臀部から前記骨盤を押さえるとき、前記骨盤の凹面状に湾曲している部分に前記施術面が接するようになっていることを特徴とする整体用ブロック。
【請求項２】
請求項１に記載のブロックにおいて、前記整体用ブロックは、略半円形を呈する底面と、同様に略半円形を呈する上面と、これらを接続する側面とから構成されている柱体からなり、前記側面のうち、前記半円形の弦に接続されている面が前記設置面に、弧に接続されている曲面の一部が前記施術面になっていることを特徴とする整体用ブロック。
【請求項３】
請求項１または２に記載のブロックにおいて、前記設置面、および前記施術面は織布、不織布、または所定のシートによって被覆されていることを特徴とする整体用ブロック。
【発明の詳細な説明】
【技術分野】
【０００１】
本発明は、骨盤のずれを矯正する整体用ブロックに関するものである。
【背景技術】
【０００２】
骨盤は、１個の仙骨と、それぞれ左右１対の腸骨・恥骨・坐骨の７個の骨から一体的に結合された骨であり、内臓および上半身の重量を支えている。そして、上部には脊柱が接続され、下部には２本の大腿骨が回動可能に結合されている。図４には、人体の背面の方向から見た骨盤Ｃが示されている。骨盤Ｃは、矢印Ｙ１、Ｙ１で示されているように、前方、後方、側方に傾斜したり、矢印Ｙ２で示されているように、水平方向に回転することができるようになっているが、日常の動作の癖や生活習慣によって、所定の方向への傾斜によるずれや回転方向のずれが固定化してしまうことがあり、腰痛、膝痛、座骨神経痛、足のしびれ等の原因になる。そこで、このような骨盤Ｃのずれを矯正する、色々な整体用ブロックが提案されている。
【先行技術文献】
【特許文献】
【０００３】
【特許文献１】特開平１０−５２５７号公報
【特許文献２】特開平０８−１０７９０８号公報
【０００４】
特許文献１には、所定の形状の整体用ブロックが記載されている。特許文献１に記載の整体用ブロックは、直角三角形を底面とする所定の高さの三角柱状を呈しており、三角柱が横に寝かされたような状態で、すなわち、三角柱の側面の一部が底面になるようにして使用される。より詳しく説明すると、三角柱の側面は、底面の直角三角形のそれぞれの辺に接続されている３面から構成されており、具体的には、直角を挟む２辺である、いわゆる隣辺に接続されている２面と、斜辺に接続されている１面とから構成されている。このうち、隣辺の１辺に接続されている１面が、整体用ブロックが施術台に載せられるときに施術台に設置される設置面になっており、斜辺に接続されている１面が患部を押さえる施術面になっている。特許文献１に記載の整体用ブロックは、他の骨の矯正にも使用されるが、骨盤Ｃのずれ、例えば回転方向のずれを矯正するときには、次のようにして使用される。骨盤Ｃのずれが生じている患者Ｋを、図５に示されているように、施術台Ｂの上に仰臥させる。図５には、患者Ｋを頭部の方から見た骨盤Ｃの部分の断面が示されており、ハッチングされた骨盤Ｃの断面部分は、図４においてＺ−Ｚ方向から見た断面である。骨盤Ｃの周囲には、内臓、筋肉、脂肪等の軟部組織Ｎが覆っている。特許文献１に記載の整体用ブロック５１を、骨盤Ｃを構成している１個の腸骨Ｃ１の所定の部分にあてるように、施術台Ｂと患者Ｋの間に入れる。設置面５２を下にして整体用ブロック５１を施術台Ｂに載せ、施術面５３を腸骨Ｃ１に押し当てるように、施術台Ｂと患者Ｋの間に挿入する。患者Ｋが仰臥すると臀部の筋肉が弛緩する。また、整体用ブロック５１の三角柱の高さ、すなわち施術面５３の幅は狭いので、軟部組織Ｎは押しのけられて腸骨Ｃ１は所定の厚さの軟部組織Ｎを介して施術面５３に押さえられることになる。すなわち、腸骨Ｃ１が押さえられ、腸骨Ｃ１は固定される。図５には示されていないが、他方の腸骨の所定の部分を他の整体用ブロック５１によって上方に押し上げるようにすると、骨盤Ｋのずれが矯正される。
【０００５】
特許文献２には、長さの調整が可能な所定の連結部によって互いに連結された、所定の形状の一対の要素ブロックからなる整体用ブロックが記載されている。特許文献２に記載の整体用ブロックを構成している一対の要素ブロックは、特許文献１に記載の整体用ブロックに類似した形状を呈しており、互いの施術面が対向するように、それぞれの底面が連結部によって接続されている。従って、連結部を調整すると２個の要素ブロックの施術面の距離を狭めたり広げることができる。特許文献２に記載の整体用ブロックで骨盤のずれを矯正する場合、整体用ブロックの上に骨盤が載るようにして、患者を施術台に仰臥または伏臥させて実施する。より詳しく説明すると、患者の骨盤の所定の２箇所が、両要素ブロックのそれぞれの施術面によって支持されて、下方から押さえられるように、整体用ブロックの位置を調整する。そうすると、患者が施術台に仰臥または伏臥して、患者の自重によって骨盤の所定の２箇所が２面の施術面によって押さえられて骨盤のずれが矯正されることになる。ところで、特許文献２に記載の整体用ブロックにおいては、一対の要素ブロックの施術面は、いずれも斜面が途中で屈折しており、施術面が内側に凹んでいる。従って、骨盤が一対の施術面によって押さえられるとき、施術面によって包み込まれることになる。
【発明の概要】
【発明が解決しようとする課題】
【０００６】
特許文献１または特許文献２に記載の整体用ブロックによっても、ずれが生じている骨盤を矯正することはできる。しかしながら、解決すべき問題も見受けられる。具体的には、これらの整体用ブロックによって骨盤のずれを矯正するとき、骨盤と施術面の間に介在している軟部組織が十分に押しのけられないので、骨盤が整体用ブロックの施術面に十分に固定されず、前後左右に滑りやすいという問題がある。このため、骨盤の固定が不十分になって、骨盤のずれを十分に矯正することができない。図５によって説明すると、骨盤を構成している腸骨Ｃ１は、中心部Ｐ１が凹んだ、凹面状に湾曲している。従って、特許文献１に記載の整体用ブロック５３の施術面５３で腸骨を押さえると、腸骨Ｃ１の中心部Ｐ１の近傍Ｐ２の軟部組織Ｎは厚くなってしまう。厚い軟部組織Ｎの層があると、滑りが生じやすくなってしまい、骨盤Ｃを十分に固定できない。特許文献２に記載の整体用ブロックにおいては、施術面が内側に凹んでいるので、腸骨と施術面の間の軟部組織Ｎの厚さはさらに厚くなってしまう。そうすると、骨盤の固定が不十分になってしまう。これらの整体用ブロックによっては骨盤を十分に固定できないことがあるので、骨盤のずれを十分に矯正できない。
【０００７】
本発明は、上記したような問題点を解決した整体用ブロックを提供することを目的としており、具体的には、軟部組織を十分に押しのけて施術面によって腸骨をしっかりと固定でき、それによって骨盤を十分に固定して骨盤のずれを矯正することができる整体用ブロックを提供することを目的としている。
【課題を解決するための手段】
【０００８】
本発明は、上記目的を達成するために、施術台に設置される設置面と、患者の骨盤を押さえる施術面とを備え、施術台に伏臥した患者の骨盤を施術面によって固定して、骨盤のずれを矯正する整体用ブロックとして構成する。そして、整体用ブロックの施術面は、臀部から骨盤を押さえるとき、骨盤の凹面状に湾曲している部分に接するように、施術面は外方に凸の曲面になるように構成する。また、このような整体用ブロックは、略半円形を呈する底面と、同様に略半円形を呈する上面と、これらを接続する側面とから構成されている柱体状に形成する。柱体の側面のうち、半円形の弦に接続されている面が設置面に、弧に接続されている曲面の一部が施術面になるようにする。さらに、設置面、および施術面を織布、不織布、または所定のシートによって被覆する。
【０００９】
かくして、請求項１記載の発明は、上記目的を達成するために、施術台に設置される設置面と、患者の骨盤を押さえる施術面とを備え、施術台に伏臥した患者の骨盤を前記施術面によって固定して、骨盤のずれを矯正する整体用ブロックであって、前記施術面は、外方に凸の曲面から構成されており、臀部から前記骨盤を押さえるとき、前記骨盤の凹面状に湾曲している部分に前記施術面が接するように構成されている。
また、請求項２に記載の発明は、請求項１に記載のブロックにおいて、前記整体用ブロックは、略半円形を呈する底面と、同様に略半円形を呈する上面と、これらを接続する側面とから構成されている柱体からなり、前記側面のうち、前記半円形の弦に接続されている面が前記設置面に、弧に接続されている曲面の一部が前記施術面になるように構成されている。
そして、請求項３に記載の発明は、請求項１または２に記載のブロックにおいて、前記設置面、および前記施術面は織布、不織布、または所定のシートによって被覆されるように構成されている。
【発明の効果】
【００１０】
以上のように、本発明によると、施術台に設置される設置面と、患者の骨盤を押さえる施術面とを備え、施術台に伏臥した患者の骨盤を施術面によって固定して、骨盤のずれを矯正する整体用ブロックとして構成され、そして、施術面は、臀部から骨盤を押さえるとき、骨盤の凹面状に湾曲している部分に施術面が接するように、外方に凸の曲面になるように構成されているので、骨盤が整体用ブロックによってしっかりと固定されることになる。すなわち、外方に凸の曲面に形成されている施術面によって骨盤の周囲の軟部組織を効果的に押しのけることができ、骨盤の凹面状に湾曲した部分と施術面の間には、薄い軟部組織の層が介在するだけなので、骨盤と施術面との間に滑りは生じ難い。従って、骨盤が整体用ブロックによってしっかりと固定されることになる。また、設置面、および施術面が織布、不織布、または所定のシートによって被覆される発明によると、被覆によって摩擦係数が高くなって、施術台に載せられた整体用ブロックが滑り難くなるし、施術面と骨盤の滑りも抑制されることになる。そして、被覆がクッションとしての作用も奏するので、施術される患者に痛みが生じることもない。
【図面の簡単な説明】
【００１１】
【図１】本発明の実施の形態に係る整体用ブロックを模式的に示す図で、その（ア）、（イ）、（ウ）は、それぞれ整体用ブロックの斜視図、側面断面図、上面図である。
【図２】本実施の形態に係る整体用ブロックの作用を説明するための図で、その（ア）は、患者の骨盤近傍の正面断面図であり、その（イ）は頭部から患者の骨盤を見た側面断面図である。
【図３】本発明の他の実施に係る整体用ブロックを模式的に示す図で、その（ア）は第２の実施の形態に係る整体用ブロックを、その（イ）は第３の実施の形態に係る整体用ブロックを、それぞれ示す斜視図であり、その（ウ）は他の実施の形態に係る整体用ブロックの側面図である。
【図４】骨盤を模式的に示す背面図である。
【図５】従来技術に係る整体用ブロックの作用を説明する図で、骨盤と整体用ブロックを示す側面断面図である。
【発明を実施するための形態】
【００１２】
以下、本発明の実施の形態について説明する。本発明の第１の実施の形態に係る整体用ブロック１は、図１の（ア）に示されているように、所定の高さの円柱を、底面の円の直径を通り底面に垂直な断面で切断したような形状を呈している。換言すると、半円形の底面と、半円形の上面と、これらを接続している側面とからなる柱体状を呈している。このような柱体の側面のうち、底面と上面にあたる半円形の弦に接続されている面、すなわち長方形の面は、施術台に設置される設置面３になっており、整体用ブロック１の底面になっている。また、柱体の側面のうち、半円形の弧に接続されている曲面の一部は、患者の骨盤に押し当てられる施術面４になっている。施術面４は、図１の（ア）において、ハッチングが入れられている部分であり、外方に凸の曲面になっている。このような整体用ブロック１を、設置面３を下にして施術台に載せるとき、半円形の２面は施術台に対して垂直に立てられるので、これらの２面は整体用ブロック１の側面７、７ということができる。整体用ブロック１の幅Ｗ、すなわち施術面４の幅は、５ｃｍ〜１５ｃｍ、好ましくは７ｃｍ〜１１ｃｍ、整体用ブロック１の長さＬ、すなわち側面７、７の半円の直径は、１０ｃｍ〜２５ｃｍ、好ましくは１４ｃｍ〜１８ｃｍである。従って、整体用ブロック１の上面図が図１の（ウ）に示されているように、整体用ブロック１の幅Ｗは長さＬに比して短くなっており、幅Ｗの短い施術面４によって、骨盤の所定の部分だけを押さえることができるようになっている。
【００１３】
整体用ブロック１は、図１の（イ）の断面図に示されているように、本体８と、本体８の表面を被覆しているシート９とから構成されている。本体８は、木材、合板、合成樹脂、発泡スチロール等から形成することができ、本実施の形態においては合成樹脂から形成されている。シート９は、施術台に載せられた整体用ブロック１が滑らないように、かつ施術面４に押し当てられた患者の骨盤が滑らないように、摩擦係数が高く、さらには、患者に痛みが生じないようにクッション性を有する材料から構成されている。このようなシート９には、例えば、ナイロン、アクリル、ポリプロピレン、ポリウレタン等の合成繊維、または木綿、羊毛、麻等の天然繊維からなる織布、あるいは不織布を使用することもできるし、発泡ポリウレタンシート、発泡ポリウレタン製の網状シート、ゴムシート等のシートを使用することもできる。本実施の形態においては、シート９は発泡ポリウレタン製の網状シートから構成され、本体８の全表面がシート９によって被覆されている。なお、シート９は、本体８の表面全体を被覆するのではなく、設置面３と施術面４のみに貼られていても良いし、それらの面のいずれか一方にのみ貼られていてもよい。
【００１４】
整体用ブロック１の作用について、図２を参照しながら説明する。図２の（ア）は、施術台に仰臥した患者の骨盤近傍を上部から見た上面断面図であり、図２の（イ）は、図２の（ア）においてＸ−Ｘで切断して、頭部の方から見た側面断面図である。図２の（イ）に示されているように、患者１１を施術台１２の上に仰臥させる。骨盤１４の周囲には、内臓、筋肉、脂肪等の軟部組織１５が覆っているが、患者が施術台１２に仰臥すると筋肉が弛緩するので軟部組織１５が流動し易くなる。本実施の形態に係る整体用ブロック１を施術台１２と骨盤１４の間に挿入して、施術面４を骨盤１４の所定の部分、例えば腸骨稜１８近傍の腸骨１７に押し当てる。図２の（ア）には、骨盤１４を構成している右側の腸骨１７の腸骨稜１８近傍に、臀部の方から整体用ブロック１が押し当てられている様子が示されている。整体用ブロック１の施術面４は、臀部の弛緩した軟部組織１５を押しのけて腸骨１７に押し当てられることになる。施術面４は外方に凸の曲面に形成されているので、図２の（イ）に示されているように、施術面４は凹面状に湾曲している腸骨１７に広範囲で接することになり、施術面４と腸骨１７の間の軟部組織１５の層は薄くなる。従って、腸骨１７は整体用ブロック１によってしっかりと固定される。すなわち、骨盤１４は右側の腸骨稜１８近傍において固定されることになる。次に他の整体用ブロック１’を、施術台１２と骨盤１４の間に挿入して、施術面４’を骨盤１４の所定の部分、例えば左側の座骨１９に押し当てる。そうすると、骨盤１４は、整体用ブロック１によって固定されている右側の腸骨稜１８近傍を中心として、他の整体用ブロック１’によって左側の座骨１９近傍が上方に押し上げられるので、骨盤１４に生じていたずれが矯正される。なお、座骨１９に押し当てる整体用ブロックは、本実施の形態に係る整体用ブロック１’に限定される必要はなく、従来周知の整体用ブロックであっても良い。
【００１５】
図３の（ア）には、第２の実施の形態に係る整体用ブロック１ｂが示されている。第１の実施の形態に係る整体用ブロック１と類似している構成要素、または同様な部材には、同じ符号に「ｂ」を加えた符号を付して詳しくは説明しない。第２の実施の形態に係る整体用ブロック１ｂは、設置面３ｂが台形状を呈しているので、施術面４ｂの幅Ｗｂは狭くなっているが、設置面３ｂの面積は十分に確保されている。従って、施術台の上で整体用ブロック１ｂは倒れにくく、安定性を維持しながら骨盤を押さえる部分を狭くすることができる。そうすると、骨盤のずれを正確に矯正することが可能になる。
【００１６】
図３の（イ）には、第３の実施の形態に係る整体用ブロック１ｃが示されている。第１の実施の形態に係る整体用ブロック１と類似している構成要素、または同様な部材には、同じ符号に「ｃ」を加えた符号を付して詳しくは説明しない。第３の実施の形態に係る整体用ブロック１ｃは、球を直径を含む面で切断した半球状を呈している。従って、施術面４ｃは、外方に凸の曲面になっているだけでなく、球面になっているので、凹面状に湾曲している腸骨によくフィットして骨盤を十分に固定できる。  
【００１７】
本発明の実施の形態は、他にも色々な変形が可能である。例えば、第１の実施の形態に係る整体用ブロックは、円柱を底面の円の直径を通る面で切断したような形状からなるように説明されているが、他の面で切断したような形状としても良い。図３の（ウ）には、他の実施の形態に係る整体用ブロック１ｄの側面７ｄが示されているが、側面７ｄは半円ではなく、円をその直径よりも短い所定の弦で切り取った切片状を呈している。このように円柱の底面の円を任意の弦で切断するようにすると、整体用ブロック１ｄの高さを調整することができるので、より骨盤にフィットする整体用ブロックを提供することができる。さらには、第１、２の実施の形態に係る整体用ブロックは円柱を切断して得られる形状であるように説明されているが、楕円柱を切断して得られる形状であってもよく、第３の実施の形態に係る整体用ブロックも、楕円球を切断して得られる形状であってもよい。さらには、整体用ブロックは他の形状の立体から構成されていてもよい。施術面が外方に凸の曲面になっていれば、腸骨の凹面状に湾曲している部分にフィットして骨盤を十分に固定することが可能になる。
【符号の説明】
【００１８】
１、１ｂ、１ｃ    整体用ブロック
３    設置面                          ４    施術面
７    側面
８    本体                            ９    シート
１１    患者                          １２    施術台
１４    骨盤                          １５    軟部組織
【図１】
2011041768.tif 000003
【図２】
2011041768.tif 000004
【図３】
2011041768.tif 000005
【図４】
2011041768.tif 000006
【図５】
2011041768.tif 000007
【手続補正書】
【提出日】平成22年1月20日(2010.1.20)
【手続補正１】
【補正対象書類名】特許請求の範囲
【補正対象項目名】全文
【補正方法】変更
【補正の内容】
【特許請求の範囲】
【請求項１】
所定の高さの円柱または楕円柱を、その底面に垂直な所定の断面で切断した形状を呈し、前記断面は施術台上に設置される設置面に、前記円柱または楕円柱の側面に対応する外方に凸の曲面は患者の骨盤に押し当てられる施術面にそれぞれなっており、前記施術台と該施術台上に仰臥した患者の骨盤との間に挿入して、患者の骨盤のずれを矯正する整体用ブロックであって、
前記施術面を、骨盤を構成している腸骨に腸骨稜近傍において臀部から押し付けると、臀部の軟部組織は押しのけられて腸骨の凹面状に湾曲している部分に接して、押し付けられた骨盤は固定され、この固定された状態において他の整体用ブロックを前記施術台と患者との間に挿入して骨盤の他の部分を押し上げると、骨盤のずれが矯正される整体用ブロック。
【請求項２】
所定の大きさの球または楕円球を、所定の断面で切断した形状を呈し、前記断面は施術台上に設置される設置面に、球面状の外方に凸の曲面は患者の骨盤に押し当てられる施術面にそれぞれなっており、前記施術台と該施術台上に仰臥した患者の骨盤との間に挿入して、患者の骨盤のずれを矯正する整体用ブロックであって、
前記施術面を、骨盤を構成している腸骨に腸骨稜近傍において臀部から押し付けると、臀部の軟部組織は押しのけられて腸骨の凹面状に湾曲している部分に接して、押し付けられた骨盤は固定され、この固定された状態において他の整体用ブロックを前記施術台と患者との間に挿入して骨盤の他の部分を押し上げると、骨盤のずれが矯正される整体用ブロック。
【請求項３】
請求項１または２に記載のブロックにおいて、前記設置面、および前記施術面は織布、不織布、または所定のシートによって被覆されていることを特徴とする整体用ブロック。
【手続補正２】
【補正対象書類名】明細書
【補正対象項目名】０００９
【補正方法】変更
【補正の内容】
【０００９】
かくして、請求項１記載の発明は、上記目的を達成するために、所定の高さの円柱または楕円柱を、その底面に垂直な所定の断面で切断した形状を呈し、前記断面は施術台上に設置される設置面に、前記円柱または楕円柱の側面に対応する外方に凸の曲面は患者の骨盤に押し当てられる施術面にそれぞれなっており、前記施術台と該施術台上に仰臥した患者の骨盤との間に挿入して、患者の骨盤のずれを矯正する整体用ブロックであって、前記施術面を、骨盤を構成している腸骨に腸骨稜近傍において臀部から押し付けると、臀部の軟部組織は押しのけられて腸骨の凹面状に湾曲している部分に接して、押し付けられた骨盤は固定され、この固定された状態において他の整体用ブロックを前記施術台と患者との間に挿入して骨盤の他の部分を押し上げると、骨盤のずれが矯正されるように構成されている。
また、請求項２に記載の発明は、所定の大きさの球または楕円球を、所定の断面で切断した形状を呈し、前記断面は施術台上に設置される設置面に、球面状の外方に凸の曲面は患者の骨盤に押し当てられる施術面にそれぞれなっており、前記施術台と該施術台上に仰臥した患者の骨盤との間に挿入して、患者の骨盤のずれを矯正する整体用ブロックであって、
前記施術面を、骨盤を構成している腸骨に腸骨稜近傍において臀部から押し付けると、臀部の軟部組織は押しのけられて腸骨の凹面状に湾曲している部分に接して、押し付けられた骨盤は固定され、この固定された状態において他の整体用ブロックを前記施術台と患者との間に挿入して骨盤の他の部分を押し上げると、骨盤のずれが矯正されるように構成されている。
そして、請求項３に記載の発明は、請求項１または２に記載のブロックにおいて、前記設置面、および前記施術面は織布、不織布、または所定のシートによって被覆されるように構成されている。